(57)【要約】【課題】被検体の透過Ｘ線像の線量不足に起因するＸ線透視画像の画質低下を被検体の被曝線量の増加を伴わずに回避する。【解決手段】この発明の装置は、Ｘ線透視実行中、被検体Ｍの透過Ｘ線像の線量が被検体Ｍに最大許容線量のＸ線が実際に照射されている状態で不足していることが線量不足検知部１６で検知された時は、透過Ｘ線像検出用の２次元Ｘ線検出器２の読み出しフレームレートが直ちにフレームレート引き下げ部１７で引き下げられ、２次元Ｘ線検出器２では透過Ｘ線像を検出して蓄積処理する時間が延長されるので、透過Ｘ線像の線量が不足していても、Ｘ線透視用のＸ線検出信号は、雑音の増加も伴わない蓄積処理の時間延長により、透過Ｘ線像の線量が同一のままで十分な信号強度になる。その結果、透過Ｘ線像の線量不足時でも、被曝線量の増加を伴わずにノイズの少ないＸ線透視画像が取得できる。【選択図】図１
2010269181.tif 000002
【特許請求の範囲】
【請求項１】
被検体にＸ線透視用のＸ線を照射するＸ線照射手段と、
被検体の透過Ｘ線像を検出して蓄積処理しＸ線透視用のＸ線検出信号として出力する透過Ｘ線像検出手段とを備え、
Ｘ線照射手段による被検体へのＸ線照射に伴い透過Ｘ線像検出手段から読み出しフレームレートにしたがって出力されるＸ線検出信号に基づいてＸ線透視画像が繰り返し取得・表示されるＸ線透視装置において、
Ｘ線検出信号の読み出しフレームレートが下がると蓄積処理の時間が延びる透過Ｘ線像検出手段として備えられた２次元Ｘ線検出手段と、
透過Ｘ線像の線量不足とならないように被検体への照射Ｘ線の線量を増加させるＸ線照射制御部と、
被検体に最大許容線量のＸ線が実際に照射されている状態で透過Ｘ線像の線量が不足していることを検知する線量不足検知手段と、
線量不足検知手段により透過Ｘ線像の線量不足が検知された時に読み出しフレームレートを引き下げるフレームレート引き下げ手段と
を備えていることを特徴とするＸ線透視装置。
【発明の詳細な説明】
【技術分野】
【０００１】
この発明は、Ｘ線照射手段による被検体へのＸ線照射に伴って透過Ｘ線像検出手段から読み出しフレームレートにしたがって出力されるＸ線検出信号に基づいてＸ線透視画像が繰り返し取得・表示されるＸ線透視装置に係り、特に被検体の透過Ｘ線像の線量不足に起因するＸ線透視画像の画質低下を回避するための技術に関する。
【背景技術】
【０００２】
近年、病院等の医療機関で診断・治療に用いられているＸ線透視装置は、図４に示すように、天板６０の上に載置された被検体ＭにＸ線透視用のＸ線を照射するＸ線管６１と、被検体Ｍの透過Ｘ線像を検出する２次元Ｘ線検出器６２とを備え、Ｘ線管６１による被検体ＭへのＸ線照射に伴って２次元Ｘ線検出器６２から読み出しフレームレートにしたがってＸ線透視用のＸ線検出信号が繰り返し出力されるのと平行して、透過Ｘ線像検出器６２から出力されるＸ線検出信号に基づいてＸ線透視画像が繰り返し取得・表示される（例えば、特許文献１を参照。）。
【０００３】
２次元Ｘ線検出器６２は、イメージインテンシファイア（以下、適宜「Ｉ・Ｉ管」と略記）６３とＴＶカメラ６４を中心に構成されており、被検体Ｍの透過Ｘ線像はＩ・Ｉ管６３でいったん電子に変換されてから更に可視光像に変換された後、ＴＶカメラ６４で撮影されてＸ線検出信号が得られる。透過Ｘ線像の線量が少なくて不足する時は、ＴＶカメラ６４から出力されるＸ線検出信号の信号強度が小さい時は、Ｉ・Ｉ管６３とＴＶカメラ６４の間に設置されているアイリス絞り６５を開いて可視光像の光量を増加させてＸ線検出信号の信号強度を高めることで、透過Ｘ線像の線量不足を補っている。
【先行技術文献】
【特許文献】
【０００４】
【特許文献１】特開２００４−１９４７０２号公報（第３〜４頁、図１）
【発明の概要】
【発明が解決しようとする課題】
【０００５】
しかしながら、従来のＸ線透視装置は、透過Ｘ線像の線量が不足している場合、往々にしてＸ線透視画像の画質が低下するという問題がある。
２次元Ｘ線検出器６２から出力されるＸ線検出信号の信号強度が微弱な時は、普通、アイリス絞り６５を大きく開いて可視光像の光量を必要量にする。ただ、アイリス絞り６５を大きく開くと光雑音が増す一方、被検体Ｍの透過Ｘ線像の線量は変わらないので、Ｘ線検出信号のＳ／Ｎ比が大きく低下する。その結果、Ｘ線透視画像はノイズが多い低画質画像となってしまうのである。
【０００６】
Ｘ線管６１で被検体Ｍに照射するＸ線の線量を増やせば、透過Ｘ線像の線量が増えることにはなるが、被検体Ｍが被曝する線量は被検体Ｍへの照射Ｘ線の線量に比例して増える。そのため、透過Ｘ線像の線量が不足するからといって、被検体Ｍに照射するＸ線の線量を増やすのにも限度があり、被検体Ｍの腹部を横からＸ線透視する場合や、被検体Ｍが非常に太っている場合には、アイリス絞り６５を大きく開かないと必要な光量を確保することができず、Ｘ線透視画像の画質低下が起こり易い。
【０００７】
この発明は、このような事情に鑑みてなされたものであって、被検体の透過Ｘ線像の線量不足に起因するＸ線透視画像の画質低下を被検体の被曝線量の増加を伴わずに回避することができるＸ線透視装置を提供することを目的とする。
【課題を解決するための手段】
【０００８】
本発明は、このような目的を達成するために、次のような構成をとる。
すなわち、本発明に係るＸ線透視装置は、被検体にＸ線透視用のＸ線を照射するＸ線照射手段と、被検体の透過Ｘ線像を検出して蓄積処理しＸ線透視用のＸ線検出信号として出力する透過Ｘ線像検出手段とを備え、Ｘ線照射手段による被検体へのＸ線照射に伴い透過Ｘ線像検出手段から読み出しフレームレートにしたがって出力されるＸ線検出信号に基づいてＸ線透視画像が繰り返し取得・表示されるＸ線透視装置において、Ｘ線検出信号の読み出しフレームレートが下がると蓄積処理の時間が延びる透過Ｘ線像検出手段として備えられた２次元Ｘ線検出手段と、透過Ｘ線像の線量不足とならないように被検体への照射Ｘ線の線量を増加させるＸ線照射制御部と、被検体に最大許容線量のＸ線が実際に照射されている状態で透過Ｘ線像の線量が不足していることを検知する線量不足検知手段と、線量不足検知手段により透過Ｘ線像の線量不足が検知された時に読み出しフレームレートを引き下げるフレームレート引き下げ手段とを備えていることを特徴とするものである。
【０００９】
［作用・効果］本発明のＸ線透視装置によるＸ線透視撮影の実行中は、Ｘ線照射手段が被検体にＸ線透視用のＸ線が照射すると共に、透過Ｘ線像検出手段としての２次元Ｘ線検出手段が被検体の透過Ｘ線像を検出して蓄積処理しＸ線透視用のＸ線検出信号として読み出しフレームレートで出力するのと平行して、２次元Ｘ線検出手段から読み出しフレームレートにしたがって出力されるＸ線検出信号に基づいてＸ線透視画像が繰り返し取得・表示される。
【００１０】
そして、Ｘ線透視実行中、Ｘ線照射手段により被検体に最大許容線量のＸ線を照射しても透過Ｘ線像の線量が不足することが線量不足検知手段によって検知された時は、直ちにフレームレート引き下げ手段によって読み出しフレームレートが引き下げられて２次元Ｘ線検出手段では被検体の透過Ｘ線像を検出して蓄積処理する時間が延長される。その結果、透過Ｘ線像の線量が不足していても、２次元Ｘ線検出手段から出力されるＸ線透視用のＸ線検出信号は、被曝線量の増加も雑音の増加も伴わない蓄積処理の時間延長により十分な信号強度になる。したがって、透過Ｘ線像の線量が不足している時でも、被曝線量の増加を伴うことなくノイズの少ないＸ線透視画像が取得できる。
【００１１】
即ち、本発明のＸ線透視装置の場合、Ｘ線透視実行中、被検体の透過Ｘ線像の線量が被検体に最大許容線量のＸ線を照射しても不足することが線量不足検知手段によって検知された時は、透過Ｘ線像検出用の２次元Ｘ線検出手段に対する読み出しフレームレートが直ちにフレームレート引き下げ手段で引き下げられ、２次元Ｘ線検出手段では透過Ｘ線像を検出して蓄積処理する時間が延長されるので、透過Ｘ線像の線量が不足していても、２次元Ｘ線検出手段から出力されるＸ線透視用のＸ線検出信号は、雑音の増加も伴わない蓄積処理の時間延長により、透過Ｘ線像の線量が同一のままで十分な信号強度になる。したがって、透過Ｘ線像の線量が不足している時でも、被曝線量の増加を伴うことなくノイズの少ないＸ線透視画像が取得できる。
その結果、被検体の透過Ｘ線像の線量不足に起因するＸ線透視画像の画質低下を被検体の被曝線量の増加を伴わずに回避することができる。
【発明の効果】
【００１２】
本発明のＸ線透視装置の場合、Ｘ線透視実行中、被検体の透過Ｘ線像の線量が被検体に最大許容線量のＸ線を照射しても不足することが線量不足検知手段によって検知された時は、透過Ｘ線像検出用の２次元Ｘ線検出手段に対する読み出しフレームレートが直ちにフレームレート引き下げ手段で引き下げられ、２次元Ｘ線検出手段では透過Ｘ線像を検出して蓄積処理する時間が延長されるので、透過Ｘ線像の線量が不足していても、２次元Ｘ線検出手段から出力されるＸ線透視用のＸ線検出信号は、雑音の増加も伴わない蓄積処理の時間延長により、透過Ｘ線像の線量が同一のままで十分な信号強度になる。したがって、透過Ｘ線像の線量が不足している時でも、被曝線量の増加を伴うことなくノイズの少ないＸ線透視画像が取得できる。
よって、本発明のＸ線透視装置によれば、被検体の透過Ｘ線像の線量不足に起因するＸ線透視画像の画質低下を被検体の被曝線量の増加を伴わずに回避することができる。
【図面の簡単な説明】
【００１３】
【図１】実施例のＸ線透視装置の全体構成を示すブロック図である。
【図２】実施例のＸ線透視装置に用いられている２次元Ｘ線検出器の具体的構成を示す模式図である。
【図３】２次元Ｘ線検出器に対する読み出しフレームレートの引き下げによる透過Ｘ線像の線量不足解消プロセスを示すフローチャートである。
【図４】従来のＸ線透視装置の撮像系の要部構成を示す模式図である。
【発明を実施するための形態】
【実施例】
【００１４】
この発明のＸ線透視装置の実施例について図面を参照しながら詳しく説明する。図１は実施例に係る医用のＸ線透視装置の全体構成を示すブロック図、図２は実施例のＸ線透視装置で用いられている透過Ｘ線像検出用の２次元Ｘ線検出器の具体的構成を示す模式図である。
【００１５】
実施例のＸ線透視装置は、図１に示すように、被検体ＭにＸ線透視用のＸ線を照射するＸ線管１と、被検体Ｍの透過Ｘ線像を検出して蓄積処理してＸ線透視用のＸ線検出信号として出力する検出する２次元Ｘ線検出器２と、Ｘ線透視対象の被検体Ｍを載置する天板３と、２次元Ｘ線検出器２から出力されるＸ線透視用のＸ線検出信号に基づいてＸ線透視画像を取得する透視画像取得部４と、透視画像取得部４で取得されたＸ線透視画像やＸ線透視に必要な操作メニュー等を表示する表示モニタ５などを備えている。
【００１６】
被検体ＭのＸ線透視を実行する場合、Ｘ線管１から天板３に載置された被検体ＭにＸ線が照射されるのに伴って２次元Ｘ線検出器２から出力されるＸ線検出信号に基づいて透視画像取得部４でＸ線透視画像が取得されると共に、透視画像取得部４で取得されたＸ線透視画像は速やかに表示モニタ５の画面に映し出されて表示される。また、Ｘ線透視の為の指令やデータを入力する時は、必要に応じて表示モニタ５の画面に操作メニューを表示したり等して、操作部６から指令やデータを入力する。
【００１７】
Ｘ線管１による被検体ＭへのＸ線照射は、高圧電源（図示省略）を含むＸ線照射制御部７が実行する制御にしたがって行なわれる。Ｘ線照射制御部７は操作部６などで予め設定された管電圧・管電流等の照射条件に応じてＸ線管１に対してＸ線照射に必要な制御を実行する。
２次元Ｘ線検出器２からのＸ線検出信号の出力（読み出し）は、フレームレート設定部８で設定されている読み出しフレームレートで規定される時間間隔で繰り返し行なわれるのに加え、２次元Ｘ線検出器２からＸ線検出信号が出力される毎に透視画像取得部４でＸ線透視画像が取得されて表示モニタ５の画面に映し出される。
【００１８】
即ち、Ｘ線透視画像の取得・表示がフレームレートで規定される時間間隔で繰り返されることによってＸ線透視が実行される。
実施例のＸ線透視装置では、通常、フレームレート設定部８で設定される読み出しフレームレートの値は、３０フレーム／秒である。つまり、実施例の装置の場合、通常時のＸ線透視では、約３３ミリ秒（ｍＳＥＣ）間隔でＸ線透視画像の取得・表示が繰り返し行なわれる。
なお、フレームレート設定部８で設定される読み出しフレームレートの値は、操作部６による設定操作で変更が可能となっている。
【００１９】
透過Ｘ線像検出用の２次元Ｘ線検出器２は、図２に示すように、イメージインテンシファイア（以下、適宜「Ｉ・Ｉ管」と略記）９と、可視光像伝達用光学系１０と、ＴＶカメラ１１と、カメラコントロールユニット（以下、適宜「ＣＣＵ」と略記）１２とを中心に構成されている。
２次元Ｘ線検出器２では、イメージインテンシファイア９によって被検体Ｍの透過Ｘ線像がいったん電子に変換されてから出力蛍光面９Ａで可視光像に変換されて検出された後、可視光像伝達用光学系１０の光学レンズ１０Ａ，１０Ｂ等によってＴＶカメラ１１の受光面に伝達結像されて蓄積処理される。
【００２０】
ＴＶカメラ１１の受光面には多数の光電変換蓄積ユニット（図示省略）が２次元マトリックスで配置されており、各光電変換蓄積ユニットによって可視光像が分割された状態で積分処理されることにより光電変換蓄積ユニット毎にＸ線検出信号が生成される。
ＣＣＵ１２はフレームレート設定部８で設定されている読み出しフレームレートで規定される時間間隔で光電変換素子毎に生成されたＸ線検出信号を読み出して透視画像取得部４へ出力する動作を繰り返す。つまり、Ｘ線透視の実行中は、光電変換蓄積ユニットから画像１枚分のＸ線検出信号が読み出されると、光電変換蓄積ユニットが次の画像１枚分のＸ線検出信号生成の為に再び可視光像の蓄積処理を始める動作が繰り返される。
【００２１】
２次元Ｘ線検出器２の場合、Ｘ線検出信号の読み出しフレームレートが下がると蓄積処理の時間が延長される構成となっている。画像１枚についての可視光像の蓄積処理の時間は、Ｘ線検出信号の読み出しの繰り返し時間間隔と略同じ時間である。ひとつの繰り返し時間間隔の到来と略同時に蓄積処理が始まり、その繰り返し時間間隔が終わる直前まで蓄積処理が続けられるのである。ちなみに、３０フレーム／秒のフレームレートでの蓄積処理時間は約３０ｍＳＥＣであり、１５フレーム／秒のフレームレートでの蓄積処理時間は約６０ｍＳＥＣである。
【００２２】
また、２次元Ｘ線検出器２の可視光像伝達用光学系１０で伝達される可視光像の光量は光学レンズ１０Ａ，１０Ｂの間に設けられたアイリス絞り１３で適当に調整される。光量調整用のアイリス絞り１３の開度は一定の固定絞りでもよいし、開き過ぎで画質が低下しない範囲で開度が調節できる可変絞りであってもよい。
【００２３】
一方、可視光像伝達用光学系１０の光学レンズ１０Ａとアイリス絞り１３の間には、Ｉ・Ｉ管９で検出された可視光像の光量を測定するフォトマルチプライア１４が設けられている。このフォトマルチプライア１４の測定出力は透過Ｘ線像の線量と正比例関係にあり、フォトマルチプライア１４の測定出力の大きさで透過Ｘ線像の線量を知ることができる。すなわちフォトマルチプライア１４の測定出力が大きいほど透過Ｘ線像の線量が多く、フォトマルチプライア１４の測定出力が小さいほど透過Ｘ線像の線量が少ないことになる。
【００２４】
他方、フォトマルチプライア１４の後段にフォトマルチプライア１４の測定出力に基づき可視光像の光量が十分か否かをチェックする光量チェック部１５が設けられている。光量チェック部１５の場合、具体的にはＸ線透視画像の画質低下を招かない必要最小限の透過Ｘ線像の線量の時の可視光像の光量に対応するフォトマルチプライア１４の測定出力が予め測定されてしきい値としてセットされていて、フォトマルチプライア１４の測定出力がしきい値以上であると可視光像の光量は十分（つまり透過Ｘ線像の線量不足なし）と判定され、しきい値未満であると可視光像の光量は不十分（つまり透過Ｘ線像の線量不足有り）と判定される。
【００２５】
この光量チェック部１５のチェック結果はＸ線照射制御部７に送り込まれており、フォトマルチプライア１４の測定出力がしきい値未満で可視光像の光量は不十分と判定された時は、Ｘ線照射制御部７は被検体Ｍへの照射Ｘ線の線量を増加させる。このＸ線照射制御部７による照射Ｘ線の線量増加は、光量チェック部１５のチェック結果がフォトマルチプライア１４の測定出力がしきい値以上で可視光像の光量が十分と判定されるか、あるいは、照射Ｘ線の線量が最大許容線量に達する迄続けられる。
【００２６】
さらに、実施例のＸ線透視装置は、被検体に最大許容線量のＸ線を照射しても透過Ｘ線像の線量が不足することを検知する線量不足検知部１６と、線量不足検知部１６により透過Ｘ線像の線量不足が検知された時に読み出しフレームレートを引き下げるフレームレート引き下げ部１７を備えている。以下、これら線量不足検知部１６およびフレームレート引き下げ部１７について具体的に説明する。
【００２７】
線量不足検知部１６には光量チェック部１５により可視光像の光量が不十分であることが報知されると共に、Ｘ線照射制御部７により照射Ｘ線の線量が最大許容線量へ到達したことが報知される構成とされていて、線量不足検知部１６に光量チェック部１５による透過Ｘ線像の線量不足を意味する可視光像の光量不十分の報知と、Ｘ線照射制御部７による照射Ｘ線線量の最大許容線量への到達とが同時に報知された時は、線量不足検知部１６が被検体Ｍに最大許容線量のＸ線を照射しても透過Ｘ線像の線量が不足することを検知する。
【００２８】
フレームレート引き下げ部１７には線量不足検知部１６から透過Ｘ線像の線量不足検知が報知される構成とされていて、線量不足検知部１６からの透過Ｘ線像の線量不足検知の報知がフレームレート引き下げ部１７に到達すると、フレームレート引き下げ部１７は直ちにフレームレート設定部８で設定されている読み出しフレームレートを引き下げる。フレームレートを引き下げは、例えばフレームレート設定部８で設定中のフレームレートを半分に落とす形態が挙げられる。この形態の場合、３０フレーム／秒のフレームレートであれば、１５フレーム／秒のフレームレートに引き下げられる。
【００２９】
読み出しフレームレートが半分に引き下げられると、透過Ｘ線像の線量が不足していても、被検体の透過Ｘ線像を検出して蓄積処理しＸ線透視用のＸ線検出信号として出力する２次元Ｘ線検出器２の場合は蓄積処理の時間が倍に延長される。したがって、透過Ｘ線像の線量が変わらなくても、Ｘ線透視用のＸ線検出信号の信号強度が倍となり、照射Ｘ線の線量が同じままで透過Ｘ線像の線量不足が事実上解消されたことになる。
【００３０】
なお、実施例の装置の場合、被検体Ｍに最大許容線量のＸ線が実際に照射されている状態で線量不足検知部１６による透過Ｘ線像の線量不足検知がなされるので、線量不足検知部１６の検知精度は高い。
また、主制御部１８は、コンピュータ（ＣＰＵ）と動作プログラムを中心に構成されていて、操作部６等による各種の指令入力、あるいは、Ｘ線撮影の進行状況などに応じて適切な命令信号やデータを必要な処へ適時に送出し、装置全体を常に適切に動作させる統括制御機能を果たす。
【００３１】
続いて、以上に述べた実施例のＸ線透視装置において、透過Ｘ線像の線量不足の時、２次元Ｘ線検出器に対する読み出しフレームレートの引き下げにより線量不足を解消するプロセスを図面を参照しながら説明する。図３は２次元Ｘ線検出器に対する読み出しフレームレートの引き下げによる透過Ｘ線像の線量不足解消プロセスを示すフローチャートである。以下、被検体Ｍは天板３に搭載されていて、Ｘ線透視が既に始まっている段階から説明する。
〔ステップ１〕光量チェック部１５が可視光像の光量が十分か否かをチェックし、可視光像の光量が不十分であれば、次のステップＳ２に進み、可視光像の光量が十分であれば、再びステップＳ１を繰り返す。
【００３２】
〔ステップ２〕Ｘ線照射制御部７が被検体Ｍへの照射Ｘ線の線量を増加させる。
【００３３】
〔ステップ３〕照射Ｘ線の線量が最大許容線量に達していなければ、ステップＳ１に戻る。照射Ｘ線の線量が最大許容線量に達していれば、ステップＳ４に進む。
【００３４】
〔ステップ４〕線量不足検知部１６が光量チェック部１５から可視光像の光量が不十分である報知を受けとっているか否かをチェックし、可視光像の光量が不十分であることが報知されていれば、ステップＳ５に進み、可視光像の光量が十分であればステップＳ１に戻る。
【００３５】
〔ステップ５〕フレームレート引き下げ部１７によりフレームレート設定部８で設定されている読み出しフレームレートが引き下げられる。
【００３６】
〔ステップ６〕Ｘ線透視を継続するのであれば、引き下げられた読み出しフレームレートでＸ線透視を続行すると共に、ステップＳ１に戻る。Ｘ線透視を停止するのであれば、読み出しフレームレートの引き下げによる透過Ｘ線像の線量不足解消プロセスは終了することとなる。
【００３７】
以上に述べたように、実施例のＸ線透視装置の場合、Ｘ線透視実行中、被検体Ｍの透過Ｘ線像の線量が被検体Ｍに最大許容線量のＸ線を照射しても不足することが線量不足検知部１６によって検知された時は、透過Ｘ線像検出用の２次元Ｘ線検出器２に対する読み出しフレームレートが直ちにフレームレート引き下げ部１７で引き下げられ、２次元Ｘ線検出器２では透過Ｘ線像を検出して蓄積処理する時間が延長されるので、透過Ｘ線像の線量が不足していても、２次元Ｘ線検出器２から出力されるＸ線透視用のＸ線検出信号は、雑音の増加も伴わない蓄積処理の時間延長により、透過Ｘ線像の線量が同一のままで十分な信号強度になる。したがって、透過Ｘ線像の線量が不足している時でも、被曝線量の増加を伴うことなくノイズの少ないＸ線透視画像が取得できる。
よって、実施例のＸ線透視装置によれば、被検体Ｍの透過Ｘ線像の線量不足に起因するＸ線透視画像の画質低下を被検体Ｍの被曝線量の増加を伴わずに回避できる。
【００３８】
この発明は、上記の実施例に限られるものではなく、以下のように変形実施することも可能である。
（１）実施例のＸ線透視装置の場合、Ｉ・Ｉ管９を用いた透過Ｘ線像検出用の２次元Ｘ線検出器２が用いられていたが、透過Ｘ線像検出用の２次元Ｘ線検出器としてフラットパネル型Ｘ線検出器（ＦＰＤ）を用いるようにしてもよい。
【００３９】
（２）実施例のＸ線透視装置の場合、透過Ｘ線像の線量を可視光像の光量で測る構成であったが、透過Ｘ線像の線量は可視光像の光量で測ることに限られるものではなく、例えば透過Ｘ線像の線量をＸ線検出信号の信号強度で測る構成であってもよい。
【００４０】
（３）実施例のＸ線透視装置の場合、被検体Ｍの透過Ｘ線像の線量不足時に読み出しフレームレートを半分に切り下げる態様を挙げたが、読み出しフレームレートの切り下げの度合いは、例えば被検体Ｍの透過Ｘ線像の線量不足の程度に比例させて連続的に引き下げる構成としてもよい。
【００４１】
（４）実施例のＸ線透視装置の場合、フレームレート設定部８あるいはフレームレート切り下げ部１７が２次元Ｘ線検出器２の外にあったが、フレームレート設定部８あるいはフレームレート切り下げ部１７は２次元Ｘ線検出器２の例えばＣＣＵ１２に組み込まれているようであってもよい。
【００４２】
（５）実施例のＸ線透視装置の場合、被検体Ｍに最大許容線量のＸ線が実際に照射されている状態で線量不足検知部１６による透過Ｘ線像の線量不足検知がなされる構成であったが、フォトマルチプライア１４の測定出力とＸ線の照射条件等にしたがって演算を行なって被検体Ｍに最大許容線量のＸ線を仮に照射した時のフォトマルチプライア１４の測定出力を算定することにより透過Ｘ線像の線量をチェックするようにして、被検体Ｍに最大許容線量のＸ線が仮に照射した状態で線量不足検知部１６による透過Ｘ線像の線量不足検知がなされる構成としてもよい。
【００４３】
（６）実施例の装置は、医用の装置であったが、この発明の装置は、医用に限らず、例えば工業用や原子力用の装置などにも適用することができる。
【符号の説明】
【００４４】
１      …  Ｘ線管（Ｘ線照射手段）
２      …  ２次元Ｘ線検出器（透過Ｘ線像検出手段）
４      …透視画像取得部
５      …表示モニタ
７      …Ｘ線照射制御部
８      …フレームレート設定部
１６    …線量不足検知部（線量不足検知手段）
１７    …フレームレート引き下げ部（フレームレート引き下げ手段）
Ｍ      …被検体
【図１】
2010269181.tif 000003
【図２】
2010269181.tif 000004
【図３】
2010269181.tif 000005
【図４】
2010269181.tif 000006